(57)【要約】  【課題】  従来、利用者は番組の録画予約を行うために、新聞やＥＰＧ等の情報に基づいて、録画装置に入力し、番組の録画予約の設定を行っていたが、録画装置ごとに録画予約の操作が異なるため、その作業は非常に面倒で、入力ミスが生じ易いという課題があった。  【解決手段】  本発明は、かかる実情に鑑み、番組の識別情報を複数集合した番組パック情報を保持し、これに応じた番組コンテンツ情報を取得する差込型チップ装置を提案するものである。つまり本発明は、録画予約の情報が番組パック情報として保持された差込型チップ装置を録画装置に挿入するだけで、差込型チップ装置自身に自動的に番組が録画され、さらに、差込型チップ装置が再生装置に対して差込まれた際に保持された番組コンテンツ情報を出力することで、コンテンツの再生が行われる。【選択図】            図５
2005123857.tif 000002
【特許請求の範囲】
【請求項１】
番組識別情報を複数集合した情報であって、計算機にひとかたまりとして取り扱われる情報である番組パック情報を保持可能な番組パック情報保持部、を有する差込型チップ装置。
【請求項２】
放送録画装置に対して差込まれた際に、放送録画装置に対して前記番組パック情報保持部に保持される前記番組パック情報を送信するための番組パック情報送信部、を有する請求項１に記載の差込型チップ装置。
【請求項３】
前記番組パック情報送信部から送信された番組パック情報に応じて番組識別情報で識別される番組を構成する番組コンテンツ情報を取得する番組コンテンツ情報取得部と、
前記番組コンテンツ情報取得部で取得した番組コンテンツ情報を保持する番組コンテンツ情報保持部と、
前記番組コンテンツ情報保持部にて保持された番組コンテンツ情報を出力するための番組コンテンツ情報出力部と、
を有する請求項２に記載の差込型チップ装置。
【請求項４】
前記番組識別情報は、その番組識別情報で識別される番組コンテンツ情報の処理を制御するための処理制御情報と関連付けられており、
前記番組パック情報保持部、番組パック情報送信部、番組コンテンツ情報取得部、番組コンテンツ情報保持部、番組コンテンツ情報出力部のいずれか一または二以上の組み合わせにおける処理が前記処理制御情報に基づいて制御される請求項１から３のいずれか一に記載の差込型チップ装置。
【請求項５】
前記処理制御情報は、番組コンテンツ情報で構成される番組の視聴の制限に関する制御をするためのものである請求項４に記載の差込型チップ装置。
【請求項６】
前記処理制御情報は、自身を識別するための情報である差込型チップ装置識別情報を含む請求項４に記載の差込型チップ装置。
【請求項７】
前記番組パック情報保持部に保持された番組パック情報を変更するための番組パック情報変更部をさらに有する請求項４に記載の差込型チップ装置。
【請求項８】
前記番組パック情報変更部は、前記処理制御情報を変更するための処理制御情報変更手段を有する請求項７に記載の差込型チップ装置。
【請求項９】
前記番組識別情報は、シリーズ形態で放送されるシリーズ番組を識別するための情報であるシリーズ番組識別情報であり、
前記番組コンテンツ情報取得部は、前記シリーズ番組識別情報で識別される番組の何れかの番組コンテンツ情報を取得する請求項３に記載の差込型チップ装置。
【請求項１０】
前記番組コンテンツ情報保持部は、前記シリーズ番組識別情報に基づいて取得した番組に関して、古い番組コンテンツ情報を上書きすることで新しい番組コンテンツ情報を保持する請求項９に記載の差込型チップ装置。
【請求項１１】
前記番組識別情報は、番組の放送開始時刻、番組の放送時間長を特定する情報を含む請求項１から１０の何れか一に記載の差込型チップ装置。
【請求項１２】
前記番組識別情報は、番組の中の一部を特定する情報である番組部分識別情報であり、
前記番組コンテンツ情報取得部は、前記番組コンテンツ情報として前記番組部分識別情報に対応する部分を構成する番組コンテンツ情報を取得する請求項１から１１の何れか一に記載の差込型チップ装置。
【請求項１３】
前記差込型チップ装置は、ＳＤカード、ＳＤＥＸカード、ＩＣカード、のいずれかである請求項１２に記載の差込型チップ装置。
【請求項１４】
請求項１から１４のいずれか一に記載の差込型チップ装置と通信をするための差込口と、
前記差込口を介して番組パック情報を取得する番組パック情報取得部と、
前記番組パック情報取得部で取得した番組パック情報に含まれる複数の番組識別情報の中から全部または一部の番組識別情報を取得する番組識別情報取得部と、を有する計算機。
【請求項１５】
放送録画装置に対して差込型チップ装置が差込まれたかどうかを検知する検知ステップと、
検知ステップにおいて、放送録画装置に対して差込まれたことが検知された場合には、放送録画装置に対して番組パック情報を送信するための処理を行う番組パック情報送信ステップと、
送信された番組パック情報に応じて番組識別情報で識別される番組を構成する番組コンテンツ情報を取得する番組コンテンツ情報取得ステップと、
番組コンテンツ情報取得ステップで取得した番組コンテンツ情報を保持する番組コンテンツ情報保持ステップと、
番組コンテンツ情報保持ステップにて保持された番組コンテンツ情報を出力するための処理を行う番組コンテンツ情報出力ステップと、
からなる番組コンテンツ情報取得方法。
【請求項１６】
番組識別情報を複数集合した情報であって、計算機にひとかたまりとして取り扱われる情報である番組パック情報を保持可能な番組パック情報保持部、を有する電子機器。
【請求項１７】
放送録画装置に対して、前記番組パック情報保持部に保持される前記番組パック情報を送信するための番組パック情報送信部、を有する請求項１６に記載の電子機器。
【請求項１８】
請求項１７に記載の電子機器の前記番組パック情報送信部から送信された番組パック情報に応じて番組識別情報で識別される番組を構成する番組コンテンツ情報を取得する番組コンテンツ情報取得部と、
前記番組コンテンツ情報取得部で取得した番組コンテンツ情報を保持する番組コンテンツ情報保持部と、
前記番組コンテンツ情報保持部にて保持された番組コンテンツ情報を出力するための番組コンテンツ情報出力部と、
を有する番組コンテンツ情報蓄積装置。
【請求項１９】
前記番組コンテンツ情報蓄積装置は、ＩＣカード、携帯型ＩＣチップ、ＳＤカード、ＳＤＥＸカード、ＲＦＩＤタグ、の何れか一である請求項１８に記載の番組コンテンツ情報蓄積装置。
【請求項２０】
番組識別情報を複数集合した情報であって、ひとかたまりとして電子的に取り扱われる情報である番組パック情報。
【発明の詳細な説明】
【技術分野】
【０００１】
本発明は、差込型チップ装置に関するものである。
【背景技術】
【０００２】
従来、利用者は番組の録画予約を行うために、新聞やＥＰＧ（Ｅｌｅｃｔｒｉｃ  Ｐｒｏｇｒａｍ  Ｇｕｉｄｅ）等の情報に基づいて、録画装置に入力し、番組の録画予約の設定を行っていた（特許文献１参照）。
【特許文献１】特開２００２−２４７４６３号公報
【発明の開示】
【発明が解決しようとする課題】
【０００３】
しかしながら、上記手法では、録画装置ごとに録画予約の操作が異なるため、その作業は非常に面倒で、入力ミスが生じ易いという課題があった。また、番組表から視聴、録画したい番組を探して選ぶことや、複数の番組の録画予約を行うために複数の録画予約の設定を行うことは、利用者にとって煩雑で、面倒であるといえる。
【課題を解決するための手段】
【０００４】
本発明は、かかる実情に鑑み、番組の識別情報を複数集合した番組パック情報を保持し、これに応じた番組コンテンツ情報を取得する差込型チップ装置を提案するものである。つまり、差込型チップ装置は、放送録画装置に対して差込まれた際に番組パック情報を送信し、これに応じて番組識別情報で識別される番組を構成する番組コンテンツ情報が差込型チップ装置に録画される。このとき、番組パック情報に応じた番組コンテンツ情報を録画装置内に記録することもできる。さらに、差込型チップ装置は、再生装置に対して差込まれた際に保持された番組コンテンツ情報を出力することで、コンテンツの再生が行われる。
【０００５】
ここでの番組パック情報はそれのみで取引の対象となり、差込型チップ装置に保持されることで流通される。本発明は、録画予約の情報が保持された差込型チップ装置を録画装置に挿入するだけで、差込型チップ装置自身に自動的に録画されることで、利用者の操作を簡便化することを目的としている。
【０００６】
さらに、番組識別情報は、その番組識別情報で識別される番組コンテンツ情報の処理を制御することで、不正利用等を排除する作用を有する。例えば有料コンテンツの場合には、視聴料の納付・不納に応じて視聴制限が行われるとしてもよい。ここで、番組パック情報は変更が可能であり、視聴制限等の処理の制御に関する情報も変更可能とする。
【０００７】
また、番組識別情報がシリーズ形態で放送されるシリーズ番組を識別するために用いられれば、利用者が逐一複数の番組の録画予約を行わなくてもシリーズ番組をもらさず録画できる。このとき、シリーズ番組識別情報に基づいて取得した番組に関して、古い番組コンテンツ情報を上書きすることで新しい番組コンテンツ情報を保持するとしてもよい。差込型チップ装置の記憶容量を有効に活用するためである。
【０００８】
また、番組識別情報は、番組の放送開始時刻、番組の放送時間長を特定する情報の他、番組の中の一部を特定する番組部分識別情報である場合もある。これにより、番組の中の一部のコーナーなども容易に録画することができる。
【発明の効果】
【０００９】
以上、説明したように本発明の差込型チップ装置は、番組パック情報を保持することで、挿入された装置に対して録画予約や再生の指示を行うことができる。このとき、番組パック情報に録画予約や再生に必要な情報が含まれているため、差込型チップ装置が挿入される録画・再生装置は多様な機種に対応させることができ、汎用的に活用することができる。利用者は、装置ごとに異なる方法で、録画予約、再生操作を行う煩雑さから開放されるという効果が期待できる。ここでの番組パック情報はそれのみで取引の対象となり、差込型チップ装置に保持されることで広く流通される。
【００１０】
また、番組識別情報に関連付けられた番組コンテンツ情報の処理を制御するための処理制御情報に基づいて各部の処理が制御されることにより、不正なアクセスを容易に排除することができるとともに、有料コンテンツなどの課金を確実に実施できる。
【００１１】
さらに、番組識別情報がシリーズ形態で放送されるシリーズ番組を識別する情報とすることは、利用者の嗜好に沿う番組の集合体ということができ、これらの番組を録画予約する際に便利であり、かつ録画しそこなう危険性を回避することができる。また、番組パック情報を保持する差込型チップ装置を販売等する場合においても、シリーズごとにまとめられている場合には、利用者の購買意欲を高めるといえるため、販売促進につなげることが期待できる。
【００１２】
また、番組識別情報が番組の放送開始時刻、番組の放送時間長を特定する情報とすることは、番組識別情報に番組自体を識別するための識別情報が含まれていない場合にも、番組の録画予約が可能となる。また、番組識別情報で特定される番組の放送開始時刻と、番組の放送時間長から、放送開始時間を経過している場合や、差込型チップ装置の残り記憶容量が番組の放送時間長に満たない際に、いち早く利用者に警告することができ、録画予約の失敗を回避することができる。加えて、番組識別情報が番組の中の一部を特定する情報とすることは、利用者の視聴したい部分のみを録画予約する際に便利である。視聴したい部分のみを録画できるため、差込型チップ装置の記憶領域を有効に活用することができる。
【発明を実施するための最良の形態】
【００１３】
以下に、各発明を実施するための最良の形態を説明する。なお、本発明はこれら実施の形態に何ら限定されるものではなく、その要旨を逸脱しない範囲において、種々なる態様で実施しうる。
【００１４】
実施形態１は、主に請求項１などについて説明する。
【００１５】
実施形態２は、主に請求項２、１５などについて説明する。
【００１６】
実施形態３は、主に請求項３、１５などについて説明する。
【００１７】
実施形態４は、主に請求項４などについて説明する。
【００１８】
実施形態５は、主に請求項５などについて説明する。
【００１９】
実施形態６は、主に請求項６などについて説明する。
【００２０】
実施形態７は、主に請求項７などについて説明する。
【００２１】
実施形態８は、主に請求項８などについて説明する。
【００２２】
実施形態９は、主に請求項９などについて説明する。
【００２３】
実施形態１０は、主に請求項１０などについて説明する。
【００２４】
実施形態１１は、主に請求項１１などについて説明する。
【００２５】
実施形態１２は、主に請求項１２などについて説明する。
【００２６】
実施形態１３は、主に請求項１３などについて説明する。
【００２７】
実施形態１４は、主に請求項１４などについて説明する。
【００２８】
実施形態１５は、主に請求項１６、１７、１８、１９、２０などについて説明する。
【００２９】
<<実施形態１>>
<実施形態１：概要>  実施形態１について説明する。本実施形態は、番組パック情報を保持可能な差込型チップ装置である。
【００３０】
図１は、本実施形態の概念の一例を示す図である。差込型チップ装置は、ＳＤカード、ＳＤＥＸカード、ＩＣカードなどの小型カード状のものの他、ＤＶＤ−ＲＡＭや、ＣＤ−Ｒなどの記憶媒体などを想定しており、ＰＤＡ、ノートパソコン、ＤＶＤなどの装置に設けられたスロットに挿入することができる。
【００３１】
本実施形態の差込型チップ装置は、番組パック情報を保持する（１）。番組パック情報は、録画予約番組の識別情報を複数集合した情報である。ここでは、複数のスポーツ番組の番組識別情報を番組パック情報とした。
【００３２】
差込型チップ装置がこの番組パック情報を保持するためには、パソコンなどの情報入力、情報の編集が可能な装置に差込型チップ装置を挿入した状態で入力等行うことが必要である。このとき、利用者が録画予約を希望する番組の番組識別情報を入力（例えば、キー入力、バーコード入力など）する方法や、インターネットを介して取得したＥＰＧから選択する方法などが想定される。番組パック情報の保持後の差込型チップ装置の処理は、後の実施形態にて詳述する。
【００３３】
<実施形態１：構成>  本実施形態での機能ブロックの一例を図２に示した。
【００３４】
図２に示す本実施形態の「差込型チップ装置」（０２００）は、「番組パック情報保持部」（０２０１）を有する。
【００３５】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００３６】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
「番組パック情報保持部」（０２０１）は、番組パック情報を保持する。「番組パック情報」は、番組識別情報を複数集合した情報であって、計算機にひとかたまりとして取り扱われる情報である。番組パック情報は、番組パック情報の提供者によって、共通する属性などに応じて予め組み合わせられた番組識別情報を複数集合した情報であることが想定される。またその他、計算機にひとかたまりとして取り扱われるように、利用者が単一の番組を複数選択してパック化することもできる。ただし、番組識別情報は、個々の情報として機能する場合もある。番組パック情報には、番組識別情報の他、録画番組のチャネル、録画開始時刻、終了時刻、番組タイトルなどの情報が含まれている場合がある。番組パック情報は、暗号化されて保持されている場合もある。また、番組識別情報で識別される番組は、放送局などから放送される場合の他、インターネットを介してブロードバンド配信局からコンテンツ配信される場合もある。
【００３７】
差込型チップ装置がこの番組パック情報を保持するためには、パソコンなどの情報入力、情報の編集が可能な装置に差込型チップ装置を挿入した状態で入力等行うことが必要である。このとき、利用者が録画予約を希望する番組の番組識別情報を入力（例えば、キー入力、バーコード入力など）する方法や、インターネットを介して取得したＥＰＧから選択する方法などが想定される。またその他、コンテンツ提供者などにより番組パック情報が保持された状態の差込型チップ装置が利用者に提供される場合も想定される。
【００３８】
<実施形態１：効果>
本実施形態は、計算機にひとかたまりとして取り扱われる番組パック情報を保持可能な差込型チップ装置である。差込型チップ装置は、番組パック情報を保持することで、挿入された装置に対して録画予約や再生の指示を行うことができる。このとき、番組パック情報に録画予約や再生に必要な情報が含まれているため、差込型チップ装置が挿入される録画・再生装置は多様な機種に対応させることができ、汎用的に活用することができる。利用者は、装置ごとに異なる方法で、録画予約、再生操作を行う煩雑さから開放されるという利点がある。
【００３９】
また、ここでの番組パック情報はそれのみで取引の対象となり、差込型チップ装置に保持されることで、新しい形態の商品として流通させることができる。
【００４０】
<<実施形態２>>
<実施形態２：概要>  実施形態２について説明する。本実施形態は、放送録画装置に対して差込まれた際に、番組パック情報を送信することに特徴を有する差込型チップ装置である。
【００４１】
図１にて、番組パック情報を保持している差込型チップ装置は、放送録画装置に対してその番組パック情報を送信する（２）。これを受けて、放送録画装置は、予約された番組の録画開始時刻から録画を開始することができる。番組パック情報送信後の差込型チップ装置の処理は、後の実施形態にて詳述する。
【００４２】
<実施形態２：構成>  本実施形態での機能ブロックの一例を図３に示した。
【００４３】
図３に示す本実施形態の「差込型チップ装置」（０３００）は、「番組パック情報保持部」（０３０１）と、さらに、「番組パック情報送信部」（０３０２）とからなる。
【００４４】
「番組パック情報送信部」（０３０２）は、放送録画装置に対して差込まれた際に、放送録画装置に対して前記番組パック情報保持部に保持される前記番組パック情報を送信するための処理を行う。放送録画装置は、ビデオや、ＤＶＤ録画装置などを想定したものである。放送録画装置には、差込型チップ装置を挿入するためのスロットなどが設けられている。
【００４５】
「送信するための処理」とは、差込型チップ装置から放送録画装置への送信処理の他、放送録画装置からの番組パック情報の送信要求を差込型チップ装置が受け付ける処理などが含まれる場合がある。
【００４６】
番組パック情報を受信した放送録画装置は、番組パック情報に応じて番組識別情報で識別される番組を録画することができる。
【００４７】
その他各部の処理は、実施形態１と同様である。
【００４８】
<実施形態２：処理の流れ>
図４は、実施形態２での処理の流れの一例を示したものである。本実施形態の差込型チップ装置における処理の流れは、以下に示すステップよりなる。
【００４９】
まず、放送録画装置に対して差込まれたかどうかを検知する（検知ステップ  Ｓ０４０１）。
【００５０】
次に、検知ステップ（Ｓ０４０１）において、放送録画装置に対して差込まれたことが検知された場合には、放送録画装置に対して番組パック情報を送信するための処理を行う（番組パック情報送信ステップ  Ｓ０４０２）。放送録画装置に対して差込まれたことが検知されなかった場合には、処理を終了する。
【００５１】
以上の処理は、計算機に実行させるためのプログラムで実行することができ、また、このプログラムを計算機によって読み取り可能な記録媒体に記録することができる。（本明細書の全体を通して同様である。）
<実施形態２：効果>
本実施形態は、放送録画装置に対して差込まれた際に、番組パック情報を送信する差込型チップ装置である。差込型チップ装置は、番組パック情報を放送録画装置に送信することで、録画予約の指示を行うことができる。このとき、番組パック情報に録画予約に必要な情報が含まれているため、利用者は差込型チップ装置を放送録画装置に挿入するだけで録画予約の処理を完了させることができ、便利である。
【００５２】
<<実施形態３>>
<実施形態３：概要>  実施形態３について説明する。本実施形態は、番組パック情報に応じて、番組識別情報で識別される番組を構成する番組コンテンツ情報を取得し、再生装置などに出力することに特徴を有する差込型チップ装置である。
【００５３】
図１にて、放送録画装置に対して番組パック情報を送信する差込型チップ装置は、番組パック情報に応じて、番組識別情報で識別される番組を構成する番組コンテンツ情報を放送録画装置から取得する（３）。取得した番組コンテンツ情報には、録画した番組のデータが含まれているが、これを差込型チップ装置は自身の記憶領域に保持する。その後、差込型チップ装置は再生装置などに差込まれた際には、再生装置が再生可能となるように保持している番組コンテンツ情報を出力する（４）。
【００５４】
<実施形態３：構成>  本実施形態での機能ブロックの一例を図５に示した。
【００５５】
図５に示す本実施形態の「差込型チップ装置」（０５００）は、「番組パック情報保持部」（０５０１）と、「番組パック情報送信部」（０５０２）と、さらに、「番組コンテンツ情報取得部」（０５０３）と、「番組コンテンツ情報保持部」（０５０４）と、「番組コンテンツ情報出力部」（０５０５）とからなる。
【００５６】
「番組コンテンツ情報取得部」（０５０３）は、番組パック情報送信部（０５０２）から送信された番組パック情報に応じて番組コンテンツ情報を取得する。「番組コンテンツ情報」は、番組識別情報で識別される番組を構成する情報である。番組コンテンツ情報は、番組コンテンツ自体のデータの他に、番組コンテンツに関する情報（番組のタイトル、放送開始時刻、終了時刻、チャネルなど）や、番組識別情報をも含む場合がある。
【００５７】
取得は、放送録画装置にすでに録画された番組コンテンツ情報の中から、番組パック情報に応じて取得する場合の他、番組パック情報に応じた番組コンテンツ情報を差込型チップ装置に放送から直接取りこんで録画することにより取得する場合もある。
【００５８】
「番組コンテンツ情報保持部」（０５０４）は、番組コンテンツ情報取得部（０５０３）で取得した番組コンテンツ情報を保持する。番組コンテンツ情報の保持の際に、ＭＰＥＧ２、４などを用いて圧縮を行う場合もある。
【００５９】
「番組コンテンツ情報出力部」（０５０５）は、番組コンテンツ情報保持部（０５０４）にて保持された番組コンテンツ情報を出力するための処理を行う。出力先は、番組コンテンツを再生可能な再生装置などが想定される。再生装置は、差込型チップ装置を挿入するためのスロットなどが設けられているビデオ、ＤＶＤ、ノートパソコン、ＰＤＡ、携帯電話などが該当する。また、再生装置は、先の放送録画装置と同一の機種で対応できる場合もある。
【００６０】
「出力するための処理」とは、差込型チップ装置から再生装置への送信処理の他、再生装置からの番組コンテンツ情報の送信要求を差込型チップ装置が受け付ける処理などが含まれる場合がある。
【００６１】
出力された番組コンテンツ情報を受信した再生装置は、番組コンテンツ情報を再生し、視聴することができる。携帯に便利な差込型チップ装置は、再生装置があればどこででも番組コンテンツの再生が可能となり、有益である。
【００６２】
その他各部の処理は、実施形態２と同様である。
【００６３】
<実施形態３：処理の流れ>
図６は、実施形態３での処理の流れの一例を示したものである。本実施形態の差込型チップ装置における処理の流れは、以下に示すステップよりなる。
【００６４】
まず、送信された番組パック情報に応じて番組識別情報で識別される番組を構成する番組コンテンツ情報を取得する（番組コンテンツ情報取得ステップ  Ｓ０６０１）。
【００６５】
次に、番組コンテンツ情報取得ステップ（Ｓ０６０１）で取得した番組コンテンツ情報を保持する（番組コンテンツ情報保持ステップ  Ｓ０６０２）。
【００６６】
最後に、番組コンテンツ情報保持ステップ（Ｓ０６０２）にて保持された番組コンテンツ情報を出力するための処理を行う（番組コンテンツ情報出力ステップ  Ｓ０６０３）。
【００６７】
<実施形態３：効果>
本実施形態は、番組パック情報に応じて、番組識別情報で識別される番組を構成する番組コンテンツ情報を取得し、再生装置などに出力する差込型チップ装置である。差込型チップ装置は、番組パック情報を再生装置に送信することで、再生の指示を行うことができる。このとき、番組パック情報に再生に必要な情報が含まれているため、利用者は差込型チップ装置を再生装置に挿入するだけで再生の処理を完了させることができ、便利である。
【００６８】
また、差込型チップ装置自身に番組コンテンツ情報を保持させることができるため、再生装置があればどこででも番組コンテンツの再生が可能となり、有益である。
【００６９】
<<実施形態４>>
<実施形態４：概要>  実施形態４について説明する。本実施形態は、番組識別情報に関連付けられた番組コンテンツ情報の処理を制御するための処理制御情報に基づいて各部の処理が制御されることに特徴を有する差込型チップ装置である。
【００７０】
<実施形態４：構成>  本実施形態での機能ブロックの一例を図７に示した。
【００７１】
図７に示す本実施形態の「差込型チップ装置」（０７００）は、「番組パック情報保持部」（０７０１）と、「番組パック情報送信部」（０７０２）と、「番組コンテンツ情報取得部」（０７０３）と、「番組コンテンツ情報保持部」（０７０４）と、「番組コンテンツ情報出力部」（０７０５）とからなる。
【００７２】
番組識別情報は、番組パック情報を構成する情報であり、その番組識別情報で識別される番組コンテンツ情報の処理を制御するための処理制御情報と関連付けられている。ここで、番組識別情報は、番組パック情報保持部（０７０１）に保持されており、番組パック情報送信部（０７０２）から放送録画装置に対して送信される。
【００７３】
一方、放送録画装置は、番組パック情報に応じて番組識別情報で識別される番組を構成する番組コンテンツ情報を差込型チップ装置へ渡す。ここで、番組コンテンツ情報には、番組識別情報と、その番組識別情報と関連付けられている処理制御情報が含まれていることを想定している。番組コンテンツ情報取得部（０７０３）にて取得した番組コンテンツ情報を、番組コンテンツ情報保持部（０７０４）にて保持し、番組コンテンツ情報出力部（０７０５）から外部へ出力する。
【００７４】
これら一連の各部での処理においては、番組パック情報あるいは、番組コンテンツ情報を介して番組識別情報と関連付けられている処理制御情報を機能させることができる。つまり、処理制御情報に基づいて、番組パック情報保持部（０７０１）、番組パック情報送信部（０７０２）、番組コンテンツ情報取得部（０７０３）、番組コンテンツ情報保持部（０７０４）、番組コンテンツ情報出力部（０７０５）のいずれか一または二以上の組み合わせにおける処理を制御する。例えば、処理制御情報が処理可能であることを示す場合にのみ、各部の処理が可能となる。具体例としては、番組コンテンツ情報の出力先を特定の再生装置のみに制限することや、残虐なシーンを含む番組の場合には再生時間帯に制限を加えることなどが列挙できる。
【００７５】
その他、各部の処理については、実施形態１から３と同様である。
【００７６】
<実施形態４：効果>
本実施形態は、番組識別情報に関連付けられた番組コンテンツ情報の処理を制御するための処理制御情報に基づいて各部の処理が制御される差込型チップ装置である。これにより、不正なアクセスを容易に排除することができるとともに、有料コンテンツなどの課金を確実に実施することが期待できる。
【００７７】
<<実施形態５>>
<実施形態５：概要>  実施形態５について説明する。本実施形態は、番組コンテンツ情報で構成される番組の視聴の制限に関する処理制御情報に基づいて各部の処理が制御されることに特徴を有する差込型チップ装置である。
【００７８】
<実施形態５：構成>  本実施形態での機能ブロックはすでに図７に示したものと同様である。
【００７９】
図７に示す「差込型チップ装置」（０７００）は、「番組パック情報保持部」（０７０１）と、「番組パック情報送信部」（０７０２）と、「番組コンテンツ情報取得部」（０７０３）と、「番組コンテンツ情報保持部」（０７０４）と、「番組コンテンツ情報出力部」（０７０５）とからなる。
【００８０】
本実施形態における処理制御情報は、番組コンテンツ情報で構成される番組の視聴の制限に関する制御をするためのものである。例えば、処理制限情報が視聴不可であることを示す場合には、番組コンテンツ情報出力部（０７０５）において番組コンテンツ情報を出力するための処理を行うことができないなどの態様が想定される。その他、視聴の制限は、スクランブル化などにより視聴不可な状態にしてもよい。
【００８１】
その他各部の処理は、実施形態４と同様である。
【００８２】
<実施形態５：効果>
本実施形態は、番組コンテンツ情報で構成される番組の視聴の制限に関する処理制御情報に基づいて各部の処理が制御される差込型チップ装置である。これにより、不正な利用者に対して確実に視聴を制限できることが期待できる。
【００８３】
<<実施形態６>>
<実施形態６：概要>  実施形態６について説明する。本実施形態は、処理制御情報に、自身を識別するための情報である差込型チップ装置識別情報を含むことに特徴を有する差込型チップ装置である。
【００８４】
<実施形態６：構成>  本実施形態での機能ブロックはすでに図７に示したものと同様である。
【００８５】
図７に示す「差込型チップ装置」（０７００）は、「番組パック情報保持部」（０７０１）と、「番組パック情報送信部」（０７０２）と、「番組コンテンツ情報取得部」（０７０３）と、「番組コンテンツ情報保持部」（０７０４）と、「番組コンテンツ情報出力部」（０７０５）とからなる。
【００８６】
本実施形態における処理制御情報は、自身を識別するための情報である差込型チップ装置識別情報を含む。これにより、差込型チップ装置識別情報が挿入された放送録画装置や、再生装置が差込型チップ装置を一意に識別することができるため、正当な権限を有しない差込型チップ装置に対しては、情報のやり取りを行わない等の措置を講じることができる。つまり、正当に差込型チップ装置識別情報を付された差込型チップ装置以外には、放送録画装置から番組コンテンツ情報の取得を行うことはできず、また再生装置などへの番組コンテンツの出力もできない。さらに、差込型チップ装置に対して番組パック情報を保持させることができない場合もある。
【００８７】
また、差込型チップ装置が差込まれた携帯電話などを介して放送録画装置に送られ、放送録画装置内に番組コンテンツ情報が記録される場合がある。このとき、差込型チップ装置は別途放送録画装置に差込まれることで番組コンテンツ情報を取得することができる。ここで、差込型チップ装置は、処理制御情報として差込型チップ装置識別情報を保持していることから、この差込型チップ装置識別情報に応じて、正当な権限を有しないと判断される差込型チップ装置については、番組コンテンツ情報の取得処理などが制限することもできる。
【００８８】
その他各部の処理については、実施形態４と同様である。
【００８９】
<実施形態６：効果>
本実施形態は、処理制御情報に、自身を識別するための情報である差込型チップ装置識別情報を含むことに特徴を有する差込型チップ装置である。これにより、不正な利用者に対して確実に視聴を制限できることが期待できる。
【００９０】
<<実施形態７>>
<実施形態７：概要>  実施形態７について説明する。本実施形態は、番組パック情報保持部に保持された番組パック情報を変更するための処理を行うことに特徴を有する差込型チップ装置である。
【００９１】
<実施形態７：構成>  本実施形態での機能ブロックの一例を図８に示す。
【００９２】
図８に示す「差込型チップ装置」（０８００）は、「番組パック情報保持部」（０８０１）と、「番組パック情報送信部」（０８０２）と、「番組コンテンツ情報取得部」（０８０３）と、「番組コンテンツ情報保持部」（０８０４）と、「番組コンテンツ情報出力部」（０８０５）と、さらに、「番組パック情報変更部」（０８０６）とからなる。
【００９３】
「番組パック情報変更部」（０８０６）は、番組パック情報保持部（０８０１）に保持された番組パック情報を変更するための処理を行う。番組パック情報は、一部に変更が加えられる場合の他、全体を変更する場合もある。また、番組パック情報の変更は、利用者自身が行う場合の他、外部から自動的に行われる場合もある。外部から自動的に行われるのは、例えば、録画予約した番組の放送開始前の別の番組に放送時間の延長が生じた場合などが該当する。放送局などから送られる放送番組データに基づいて、放送録画装置が自身に挿入されている差込型チップ装置の録画予約の変更ができるとすると、便利である。
【００９４】
その他各部の処理については、実施形態４と同様である。
【００９５】
<実施形態７：効果>
本実施形態は、番組パック情報保持部に保持された番組パック情報を変更するための処理を行う差込型チップ装置である。これにより、利用者自身の意思により、あるいは、自動的に、録画予約の修正が可能となる。利用者が意図する番組の録画予約が常に的確に行えることで、差込型チップ装置の利用の促進が図られることも期待できる。
【００９６】
<<実施形態８>>
<実施形態８：概要>  実施形態８について説明する。本実施形態は、番組パック情報変更部に、処理制御情報を変更するための処理制御情報変更手段を有することに特徴を有する差込型チップ装置である。
【００９７】
<実施形態８：構成>  本実施形態での機能ブロックの一例を図９に示す。
【００９８】
図９に示す「差込型チップ装置」（０９００）は、「番組パック情報保持部」（０９０１）と、「番組パック情報送信部」（０９０２）と、「番組コンテンツ情報取得部」（０９０３）と、「番組コンテンツ情報保持部」（０９０４）と、「番組コンテンツ情報出力部」（０９０５）と、「番組パック情報変更部」（０９０６）とからなり、さらに、番組パック情報変更部（０９０６）は「処理制御情報変更手段」（０９０７）を有する。
【００９９】
「処理制御情報変更手段」（０９０７）は、処理制御情報を変更するための処理を行う。処理制限情報を、処理不可の状態から処理可能の状態へ変更する場合の他、その逆で、処理可能の状態から処理不可の状態へ変更する場合も含まれるとしてもよい。前者は利用者が対価の支払いなどにより正当権原を有するようになった場合などが該当し、後者は契約期間の満了などの場合が該当する。処理制御情報の変更処理については、利用者以外の外部から行われる場合が想定される。
【０１００】
その他各部の処理については、実施形態７と同様である。
【０１０１】
<実施形態８：効果>
本実施形態は、番組パック情報変更部に、処理制御情報を変更するための処理制御情報変更手段を有する差込型チップ装置である。これにより、差込型チップ装置の処理制限の修正が可能となる。対価の支払い等を条件とする正当権原の有無に応じた処理制限の更新を容易に行えることで、不正な利用者を確実に排除できるという効果を有する。
【０１０２】
<<実施形態９>>
<実施形態９：概要>  実施形態９について説明する。本実施形態は、シリーズ形態で放送されるシリーズ番組を識別するためのシリーズ番組識別情報で識別される番組の何れかの番組コンテンツ情報を取得することに特徴を有する差込型チップ装置である。
【０１０３】
<実施形態９：構成>  本実施形態での機能ブロックの一例を図１０に示す。
【０１０４】
図１０に示す本実施形態の「差込型チップ装置」（１０００）は、「番組パック情報保持部」（１００１）と、「番組パック情報送信部」（１００２）と、「番組コンテンツ情報取得部」（１００３）と、「番組コンテンツ情報保持部」（１００４）と、「番組コンテンツ情報出力部」（１００５）とからなる。
【０１０５】
ここで、番組パック情報を構成する番組識別情報は、シリーズ番組識別情報である。「シリーズ番組識別情報」は、シリーズ形態で放送されるシリーズ番組を識別するための情報である。シリーズ形態とは、連続ドラマなどの定期的に放送される番組などが該当する。図では、シリーズ番組の例としてカエルの成長のドキュメントを示した。このシリーズ番組は、タマゴ、おたまじゃくし、カエルの３回の放送番組からなる。それぞれの番組ごとに番組識別情報（ＩＤ：００３１〜００３３）を付し、さらにシリーズ番組全体にもシリーズ番組識別情報（ＩＤ：００３０）を付した。このようにシリーズ番組識別情報によって、シリーズ番組全体の統制をとることができる。このとき、番組の内容は、１回の放送ごとに完結しているものであってもよい。
【０１０６】
差込型チップ装置がこの番組パック情報を保持するためには、パソコンなどの情報入力、情報の編集が可能な装置に差込型チップ装置を挿入した状態で入力等行うことが必要であるが、このとき一の番組の番組識別情報の入力に伴い、この番組のシリーズ番組がシリーズ番組識別情報として同期して入力される場合が想定される。その他、コンテンツ提供者などによりシリーズごとにまとめられた番組パック情報が保持された状態の差込型チップ装置が利用者に提供される場合も想定される。
【０１０７】
番組コンテンツ情報取得部（１００３）は、前記シリーズ番組識別情報で識別される番組の何れかの番組コンテンツ情報を取得する。
【０１０８】
その他各部の処理は、実施形態３と同様である。
【０１０９】
<実施形態９：効果>
本実施形態は、シリーズ形態で放送されるシリーズ番組を識別するためのシリーズ番組識別情報で識別される番組の何れかの番組コンテンツ情報を取得する差込型チップ装置である。番組パック情報をシリーズ形態で放送される一連のシリーズ番組のシリーズ番組識別情報を複数集合した情報とすることは、利用者の嗜好に沿う番組の集合体ということができ、これらの番組を録画予約する際に便利であり、かつ録画しそこなう危険性を回避することができる。また、番組パック情報を保持する差込型チップ装置を販売等する場合においても、シリーズごとにまとめられている場合には、利用者の購買意欲を高めるといえるため、販売促進につなげることが期待できる。
【０１１０】
<<実施形態１０>>
<実施形態１０：概要>  実施形態１０について説明する。本実施形態は、シリーズ番組識別情報に基づいて取得した番組に関して、古い番組コンテンツ情報を上書きすることで新しい番組コンテンツ情報を保持することに特徴を有する差込型チップ装置である。
【０１１１】
<実施形態１０：構成>  本実施形態での機能ブロックはすでに図１０に示したものと同様である。
【０１１２】
図１０に示す「差込型チップ装置」（１０００）は、「番組パック情報保持部」（１００１）と、「番組パック情報送信部」（１００２）と、「番組コンテンツ情報取得部」（１００３）と、「番組コンテンツ情報保持部」（１００４）と、「番組コンテンツ情報出力部」（１００５）とからなる。
【０１１３】
番組コンテンツ情報保持部（１００４）は、シリーズ番組識別情報に基づいて取得した番組に関して、古い番組コンテンツ情報を上書きすることで新しい番組コンテンツ情報を保持する。例えば、毎週定期的に放送されている番組の場合には、常に最新の放送内容に更新される。つまり、おたまじゃくしの回の番組の録画後に、さらにカエルの回の録画がなされた場合には、おたまじゃくしの番組コンテンツ情報を上書きし、カエルの番組コンテンツ情報を保持する。古い番組コンテンツ情報については視聴する意義が薄い報道番組などや、直近の番組コンテンツ情報のみを視聴する利用者には有益であるといえる。
【０１１４】
その他各部の処理については、実施形態９と同様である。
【０１１５】
<実施形態１０：効果>
本実施形態は、シリーズ番組識別情報に基づいて取得した番組に関して、古い番組コンテンツ情報を上書きすることで新しい番組コンテンツ情報を保持する差込型チップ装置である。これにより、古い番組コンテンツ情報については視聴する意義が薄い番組や、直近の番組コンテンツ情報のみを視聴する利用者には、差込型チップ装置の記憶容量を有効に活用することができ、有益である。
【０１１６】
また、過去に取得した古い番組コンテンツ情報が一度も再生されていない場合や、利用者が上書きされることを禁止したい場合などには、上書きせずに別途保持するような処理を行っても良い。
【０１１７】
<<実施形態１１>>
<実施形態１１：概要>  実施形態１１について説明する。本実施形態は、番組識別情報は、番組の放送開始時刻、番組の放送時間長を特定する情報を含むことに特徴を有する差込型チップ装置である。
【０１１８】
<実施形態１１：構成>  本実施形態での機能ブロックはすでに図５に示したものと同様である。
【０１１９】
図５に示す「差込型チップ装置」（０５００）は、「番組パック情報保持部」（０５０１）と、「番組パック情報送信部」（０５０２）と、「番組コンテンツ情報取得部」（０５０３）と、「番組コンテンツ情報保持部」（０５０４）と、「番組コンテンツ情報出力部」（０５０５）とからなる。
【０１２０】
番組パック情報を構成する番組識別情報は、番組の放送開始時刻、番組の放送時間長を特定する情報を含む。これにより、番組パック情報送信部（０５０２）において番組パック情報が放送録画装置に送信された場合に、放送録画装置が番組識別情報から番組の放送開始時刻、番組の放送時間長を特定する情報に基づいて録画の可否を判断することが可能となる。例えば、放送開始時間を経過している場合や、差込型チップ装置の残り記憶容量が番組の放送時間長に満たない場合などは、いち早く利用者に警告することができる。また、番組識別情報に番組自体を特定するための情報が含まれていない場合にも、番組の放送開始時刻と、番組の放送時間長から番組の録画予約が可能となる。
【０１２１】
その他各部の処理については、実施形態１から１０と同様である。
【０１２２】
<実施形態１１：効果>
本実施形態は、番組識別情報は、番組の放送開始時刻、番組の放送時間長を特定する情報を含むことに特徴を有する差込型チップ装置である。これにより、放送開始時間を経過している場合や、差込型チップ装置の残り記憶容量が番組の放送時間長に満たない場合などは、いち早く利用者に警告することができ、録画予約の失敗を回避することができる。また、番組識別情報に番組自体を特定するための情報が含まれていない場合にも、番組の放送開始時刻と、番組の放送時間長から番組の録画予約が可能となり便利である。
【０１２３】
<<実施形態１２>>
<実施形態１２：概要>  実施形態１２について説明する。本実施形態は、番組の中の一部を特定する番組部分識別情報に対応する部分を構成する番組コンテンツ情報を取得することに特徴を有する差込型チップ装置である。
【０１２４】
<実施形態１２：構成>  本実施形態での機能ブロックの一例を図１１に示す。
【０１２５】
図１１に示す本実施形態の「差込型チップ装置」（１１００）は、「番組パック情報保持部」（１１０１）と、「番組パック情報送信部」（１１０２）と、「番組コンテンツ情報取得部」（１１０３）と、「番組コンテンツ情報保持部」（１１０４）と、「番組コンテンツ情報出力部」（１１０５）とからなる。
【０１２６】
ここで、番組パック情報を構成する番組識別情報は、番組部分識別情報である。「番組部分識別情報」は、番組の中の一部を特定する情報である。番組の中の一部とは、番組の一部のコーナーなどが該当する。図では、例としてニュースと、その番組の一部として地方のニュースを示した。ニュースには番組識別情報（ＩＤ：００３０）を付し、さらにその番組の中の一部である地方のニュースのコーナーには番組部分識別情報（ＩＤ：００３１）を付した。一の番組に対して複数の番組部分識別情報が付される場合が想定される。
【０１２７】
一方、番組の一部分（コーナー）を特定する際に、生放送などの事情でその放送時間が放送前に不明な場合には、その部分のみを取得することが困難な場合がある。デジタル放送やインターネット配信では、番組コンテンツ情報の中に番組部分識別情報を含めることができ、番組の一部分を特定することが可能だが、そうでない場合には、録画装置内で番組の全部分を一旦録画しておき、放送終了後の任意の時間に、番組パック情報提供者または第三者が上記番組の部分を特定できる時間情報を放送、またはインターネット等で録画装置に配信することで、差込型チップ装置が上記番組の部分だけを録画装置より取得、保持することができるようになる。
【０１２８】
差込型チップ装置がこの番組パック情報を保持するためには、パソコンなどの情報入力、情報の編集が可能な装置に差込型チップ装置を挿入した状態で入力等行うことが必要であるが、このとき一の番組の番組識別情報の入力に伴い、この番組の部分を特定する情報が番組部分識別情報として同期して入力される場合が想定される。
【０１２９】
番組コンテンツ情報取得部（１１０３）は、前記番組コンテンツ情報として前記番組部分識別情報に対応する部分を構成する番組コンテンツ情報を取得する。これにより、番組の中の特定のコーナーのみも、容易に録画し視聴することができる。
【０１３０】
その他各部の処理は、実施形態１から１１と同様である。
【０１３１】
<実施形態１２：効果>
本実施形態は、番組の中の一部を特定する番組部分識別情報に対応する部分を構成する番組コンテンツ情報を取得する差込型チップ装置である。番組パック情報を番組の中の一部を特定する番組部分識別情報を複数集合した情報とすることは、利用者の視聴したい部分のみを録画予約する際に便利である。視聴したい部分のみを録画できるため、差込型チップ装置の記憶領域を有効に活用することができる。
【０１３２】
<<実施形態１３>>
<実施形態１３：概要>  実施形態１３について説明する。本実施形態は、ＳＤカード、ＳＤＥＸカード、ＩＣカード、のいずれかであることに特徴を有する差込型チップ装置である。
【０１３３】
<実施形態１３：構成>  本実施形態での機能ブロックの一例を図１１に示す。
【０１３４】
図１１に示す本実施形態の「差込型チップ装置」（１１００）は、「番組パック情報保持部」（１１０１）と、「番組パック情報送信部」（１１０２）と、「番組コンテンツ情報取得部」（１１０３）と、「番組コンテンツ情報保持部」（１１０４）と、「番組コンテンツ情報出力部」（１１０５）とからなる。
【０１３５】
差込型チップ装置（１１００）は、ＳＤカード、ＳＤＥＸカード、ＩＣカード、のいずれかである。
【０１３６】
ＳＤカード、ＳＤＥＸカード、ＩＣカードは、ＣＰＵやメモリセキュリティ回路などのＩＣチップを組み込んだカード状のデバイスのことをいう。いずれも小型軽量であるため、ビデオテープや、ＤＶＤ−ＲＯＭなどと比較して、持ち運びに便利である。また、既存の規格に従うことで、汎用的なシステムの構築を図ることができる。
【０１３７】
その他各部の処理は、実施形態１２と同様である。
【０１３８】
<実施形態１３：効果>
本実施形態は、差込型チップ装置は、ＳＤカード、ＳＤＥＸカード、ＩＣカード、のいずれかである差込型チップ装置である。いずれのカードも小型軽量であるため、ビデオテープや、ＤＶＤ−ＲＯＭなどと比較して、持ち運びに便利であり、携帯型の再生装置とともに外出先で利用することができる。また、既存の規格に従うことで、汎用的なシステムの構築を図ることができる。
【０１３９】
<<実施形態１４>>
<実施形態１４：概要>  実施形態１４について説明する。本実施形態は、差込型チップ装置と通信をする計算機である。
【０１４０】
図１２は、本実施形態の概念の一例を示す図である。本実施形態の計算機は、差込口を有し、差込型チップ装置を挿入可能な装置である。パソコン、携帯端末装置、録画・再生装置、赤外線リモコンなど、いかなる形態であってもよい。計算機に設けられた差込口に差込型チップ装置を挿入することで、差込型チップ装置に保持されている番組パック情報が取得できる。番組パック情報は、番組識別情報を複数集合した情報であるが、計算機は番組パック情報からその番組識別情報を取得する。
【０１４１】
<実施形態１４：構成>  本実施形態での機能ブロックの一例を図１３に示す。
【０１４２】
図１３に示す本実施形態の「計算機」（１３００）は、「差込口」（１３０１）と、「番組パック情報取得部」（１３０２）と、「番組識別情報取得部」（１３０３）とからなる。
【０１４３】
「差込口」（１３０１）は、差込型チップ装置と通信をするために設けられる。差込口に差込型チップ装置が差込まれることにより、番組パック情報の取得などの通信が可能となる。
【０１４４】
「番組パック情報取得部」（１３０２）は、差込口（１３０１）を介して番組パック情報を取得する。番組パック情報は、差込型チップ装置から送信されたものを受動的に取得する場合の他、計算機から送信要求を出すなどして能動的に取得する場合もある。
【０１４５】
「番組識別情報取得部」（１３０３）は、番組パック情報取得部（１３０２）で取得した番組パック情報に含まれる複数の番組識別情報の中から全部または一部の番組識別情報を取得する。取得した番組識別情報により識別される番組が録画予約番組である。計算機が録画機能を有する場合は、番組識別情報で識別される番組を構成する番組コンテンツ情報を取得することで録画処理を完了させることができる。また、計算機が録画機能を有しない場合は、この番組識別情報を放送録画装置へ出力するために中継処理を行うとしてもよい。
【０１４６】
<実施形態１４：効果>
本実施形態は、差込型チップ装置と通信をする計算機である。計算機が番組識別情報を放送録画装置へ出力するために中継処理を行う場合には、放送録画装置で番組パック情報から番組識別情を取得する処理を減らし、放送録画装置の負荷を減らすことができる。
【０１４７】
<<実施形態１５>>
<実施形態１５：概要>  実施形態１５について説明する。
【０１４８】
ここでは、番組パック情報と、これを保持可能な電子機器と、その電子機器から送信された番組パック情報に応じて番組識別情報で識別される番組を構成する番組コンテンツ情報を取得する番組コンテンツ情報蓄積装置について説明する。
【０１４９】
<実施形態１５：構成>
まずは、電子機器について説明する。電子機器は、その種類は問わず、携帯電話、ＰＤＡ、ＰＨＳなどを広く含むとしてもよい。電子機器は、番組識別情報を複数集合した情報であって、計算機にひとかたまりとして取り扱われる情報である番組パック情報を保持可能な番組パック情報保持部、を有する。実施形態１との相違点は、番組パック情報を保持する媒体が電子機器であることである。
【０１５０】
加えて、電子機器は、放送録画装置に対して、前記番組パック情報保持部に保持される前記番組パック情報を送信するための番組パック情報送信部、を有する場合がある。電子機器は、ボタン操作などに基づいて番組パック情報を放送録画装置に対して送信する。実施形態２との相違点は、電子機器の構造上の違いから、電子機器に対して差込まれたタイミングでは番組パック情報を送信しないことである。
【０１５１】
次に、番組コンテンツ情報蓄積装置について説明する。これは、ＩＣカードや、ＤＶＤ−ＲＡＭ、ＣＤ−Ｒなどの記憶媒体の他、ＨＤＤや取り外しができないＩＣメモリなどが該当することを想定したものである。
【０１５２】
番組コンテンツ情報蓄積装置は、携帯電話などの電子機器から送信された番組パック情報に応じて番組識別情報で識別される番組を構成する番組コンテンツ情報を取得する。つまり、電子機器から録画予約が放送録画装置に対して行われ、その録画予約に応じた番組コンテンツ情報を記録媒体である番組コンテンツ情報蓄積装置に取りこむことができる。このとき、番組コンテンツ情報蓄積装置の識別情報などに応じて、番組コンテンツ情報の取得の可否が判断されるとしてもよい。その後、番組コンテンツ情報蓄積装置は、取得した番組コンテンツ情報を保持しておき、必要に応じて番組コンテンツ情報を出力することができる。実施形態３との相違点は、電子機器から送信された番組パック情報に応じた番組コンテンツ情報を取得することである。
【０１５３】
最後に、番組パック情報について説明する。番組パック情報は、番組識別情報を複数集合した情報であって、ひとかたまりとして電子的に取り扱われる情報である。これのみにて有体物と同様に取引を行い、転々流通させることが可能である。
【０１５４】
<実施形態１５：効果>
携帯電話などの電子機器が番組パック情報を保持する場合には、これを直接放送録画装置に送信することで録画予約を行うことができ、簡易である。また、番組パック情報自体で、有体物と同様に取引を行い、転々流通させることができることから、様々な形態でのビジネスの展開が期待できる。
【図面の簡単な説明】
【０１５５】
【図１】実施形態１を説明するための概念図
【図２】実施形態１を説明するための機能ブロック図
【図３】実施形態２を説明するための機能ブロック図
【図４】実施形態２の処理の流れを説明する図
【図５】実施形態３を説明するための機能ブロック図
【図６】実施形態３の処理の流れを説明する図
【図７】実施形態４を説明するための機能ブロック図
【図８】実施形態７を説明するための機能ブロック図
【図９】実施形態８を説明するための機能ブロック図
【図１０】実施形態９を説明するための機能ブロック図
【図１１】実施形態１２を説明するための機能ブロック図
【図１２】実施形態１４を説明するための概念図
【図１３】実施形態１４を説明するための機能ブロック図
【符号の説明】
【０１５６】
０５００    差込型チップ装置
０５０１    番組パック情報保持部
０５０２    番組パック情報送信部
０５０３    番組コンテンツ情報取得部
０５０４    番組コンテンツ情報保持部
０５０５    番組コンテンツ情報出力部
【図１】
2005123857.tif 000003
【図２】
2005123857.tif 000004
【図３】
2005123857.tif 000005
【図４】
2005123857.tif 000006
【図５】
2005123857.tif 000007
【図６】
2005123857.tif 000008
【図７】
2005123857.tif 000009
【図８】
2005123857.tif 000010
【図９】
2005123857.tif 000011
【図１０】
2005123857.tif 000012
【図１１】
2005123857.tif 000013
【図１２】
2005123857.tif 000014
【図１３】
2005123857.tif 000015